(57)【特許請求の範囲】
【請求項１】
指板のフレット溝に打ち込まれる弦楽器用フレットにおいて、
前記指板の表面を仕切るフレット本体と、このフレット本体の下面に一体に垂設され前記フレット溝に打ち込まれる脚部とを備え、この脚部に自立用突起部を前記脚部の長手方向に適宜間隔おいて複数個延設したことを特徴とする弦楽器用フレット。
【請求項２】
指板のフレット溝に打ち込まれるフレットにおいて、前記指板の表面を仕切るフレット本体と、このフレット本体の下面に一体に垂設され前記フレット溝に打ち込まれる脚部とを備え、この脚部を複数個に分割形成するとともに、隣り合う脚部間の隙間に自立用突起部を設けたことを特徴とする弦楽器用フレット。
【請求項３】
自立用突起部の長さを幅より大きく設定したことを特徴とする請求項１または２記載の弦楽器用フレット。
【請求項４】
請求項１，２または３記載のフレットを備えたことを特徴とする弦楽器。
【発明の詳細な説明】
【０００１】
【発明の属する技術分野】
本発明は、アコースティックギター、エレクトリックギター等の弦楽器に用いられる弦楽器用フレットおよび弦楽器に関するものである。
【０００２】
【従来の技術】
ギター等の弦楽器においては、指板に細長い金属片からなるフレットを弦の張設方向に所定の間隔おいて複数個植設しており、このフレットによって弦の支持点（有効弦長）を変えることにより、１フレット毎に半音ずつ音が変わるようにしている。
【０００３】
図９は従来のフレットを示す斜視図、図１０は指板に打ち込んだ状態を示す断面図で、１はギター等の弦楽器の棹の表面に固着された指板、２は指板１の表面に形成したフレット溝３に打ち込まれるフレットである。フレット２は、断面形状が半円形の細長いフレット本体４と、このフレット本体４の下面中央に全長にわたって一体に突設され前記フレット溝３に圧入される突起本体５とからなり、この突起本体５の両側面に断面半円形のくさび６を一体に突設することにより、フレット溝３との結合強度を高め、突起本体５がフレット溝３から抜けるのを防止している。
【０００４】
このようなフレット２をフレット溝３に打ち込む場合は、先ず突起本体５のくさび６より先端側に設けた延長部５ａの一部を通常槌でフレット溝３に打ち込んでフレット２を自立させ、この状態でフレット２の全体をプレス機械あるいはそのまま槌を用いて打ち込む。
【０００５】
フレット２の打ち込みに際しては、その打ち込み方の善し悪しが弦楽器のイントネーション（音調のことで、どのフレットを押さえても正確なピッチが得られる状態をイントネーションがよいという）に影響を与えるため、正確な打ち込みが要求される。すなわち、打ち込み方が悪く、フレット２の高さがばらついたり、部分的に浮き上がったりすると、指板１とフレット本体４との間に隙間が生じて外観を損なうばかりか、弦をフレット２に押し付けたときにばらつきが生じ、弦がビリつく原因となる。
【０００６】
【発明が解決しようとする課題】
上記したように、従来は手でフレット２をフレット溝３に押し込み自立させることが困難であったため、フレット２を槌またはプレス機械で打ち込む必要があった。また、仮に手で押し込むことができたとしても、従来のフレット形状であれば、傾き等が残り不安定であるので、そのまま手を離して槌で打ち込むと、槌の当たり具合で倒れたり、傾いた状態で打ち込まれることがあった。
【０００７】
本発明は上記した従来の問題を解決するためになされたもので、その目的とするところは、手で簡単に安定して押し込むことができ、またプレス加工時の内部応力の発生を極力小さくし、指板のフレット溝に対して良好に打ち込むことができるようにした弦楽器用フレットおよび弦楽器を提供することにある。
【０００８】
【課題を解決するための手段】
上記目的を達成するために第１の発明は、指板のフレット溝に打ち込まれる弦楽器用フレットにおいて、前記指板の表面を仕切るフレット本体と、このフレット本体の下面に一体に垂設され前記フレット溝に打ち込まれる脚部とを備え、この脚部に自立用突起部を前記脚部の長手方向に適宜間隔おいて複数個延設したものである。
【０００９】
第２の発明は、指板のフレット溝に打ち込まれるフレットにおいて、前記指板の表面を仕切るフレット本体と、このフレット本体の下面に一体に垂設され前記フレット溝に打ち込まれる脚部とを備え、この脚部を複数個に分割形成するとともに、隣り合う脚部間の隙間に自立用突起部を設けたものである。
【００１０】
第３の発明は、上記第１または第２の発明において、自立用突起部の長さを幅より大きく設定したものである。
【００１１】
第４の発明は、弦楽器に上記第１、第２または第３の発明に係るフレットを弦楽器に設けたものである。
【００１２】
本発明においては、自立用突起部の長さを幅より大きく設定しているので、フレット溝に手で簡単に押し込むことができ、なおかつ安定した状態で自立させることができる。また、自立用突起部を不連続に設けているので、突起部の形成時に内部応力の発生が小さい。したがって、フレットの曲率半径が小さくならず、プレス機械によって脚部をフレット溝に打ち込んだとき、全体を均一に打ち込むことができ、フレット本体の下面を全長にわたって指板の表面に密接させることができる。特に、脚部を複数個に分割し、隣り合う脚部間に自立用突起部を設けると、内部応力を隣り合う脚部間の隙間によって遮断することができるので、内部応力によるフレットの曲がりを防止することができる。
【００１３】
以下、本発明を図面に示す実施の形態に基づいて詳細に説明する。
図１は本発明に係るフレットを備えたアコースティックギターの斜視図、図２はフレットの正面図、図３は図２のＩＩＩ  −ＩＩＩ  線拡大断面図、図４は図２のＩＶ−ＩＶ線拡大断面図、図５はフレットの自立状態を示す断面図である。これらの図において、アコースティックギター１０は、弦１３の振動を拡大放射する胴１１と、この胴１１の先端部に接続されたネック部１２とを備え、胴１１の表面側には下駒１４を介して設けたブリッジ１５とネック部１２の先端部に設けた糸巻金具１６との間に６本の弦１３が張設されている。胴１１は、表板１７、裏板１８、側板１９等によって外形状がだるま形に形成され、表板１７にサウンドホール２０が形成されている。
【００１４】
前記ネック部１２は、棹２１と、この棹２１の表面に接合した指板２２と、この指板２２の表面に所定の間隔おいて植設した複数個のフレット２３および上駒２４と、前記糸巻金具１６等で構成されている。指板２２の表面は、幅方向中央部が最も高く両端が低くなるように、適宜な曲率半径Ｒ（４００ｍｍ程度）でもって凸曲面状に湾曲した曲面に形成されている。
【００１５】
前記フレット２３は、超硬合金（Ｃ７５２１Ｗ）等によって形成された細長い金属片からなり、断面形状が傘形を呈することにより指板２２の表面を仕切るフレット本体２３Ａと、このフレット本体２３Ａの下面中央に略全長にわたって一体に垂設された脚部２３Ｂとで構成されている。また、脚部２３Ｂの両側面には断面形状がくさび状（三角形）の突状体からなる抜け防止部２５が全長にわって一体に突設され、さらに脚部２３Ｂの両端部と中央部の先端面には自立用突起部２６が一体に延設されている。すなわち、本実施の形態においては脚部２３Ｂに３個の自立用突起部２６を等間隔おいて一体に延設し、これらの自立用突起部２６をフレット２３の打ち込み時に指板２１の表面に形成したフレット溝２７に手で差し込むことにより自立させるようにしたものである。
【００１６】
また、フレット２３は、フレット溝２７に打ち込まれる前の状態において、指板２２の表面の曲率半径Ｒ（４００ｍｍ）より小さい曲率半径（３００ｍｍ）で上方に凸となるように湾曲しており、フレット溝２７に打ち込まれると変形してフレット本体２３Ａの下面が指板２２の表面に全長にわたって密接されることにより、指板２２の表面の曲率半径Ｒと同一になる。
【００１７】
フレット２３をフレット溝２７に自立させるための条件としては、自立用突起部２６の長さを幅より大きく設定すればよい。また、フレット溝２７の幅を自立用突起部２６の幅より大きく設定すると、フレット２３を打ち込む作業を必要とせず、自立させることができる。フレット２３の高さＨは、３．２ｍｍ、フレット本体２３Ａの高さＨ１は１．１ｍｍ、フレット本体２３Ａの幅Ｄ１は２ｍｍ、脚部２３Ｂの長さＬ１は１．５ｍｍ、自立用突起部２６の長さＬ２は０．６〜１．０ｍｍ、脚部２３Ｂと自立用突起部２６の幅Ｄ２は自立用突起部２６の長さＬ２より小さく、従来と同じで０，４６〜０，４８ｍｍ程度に設定されている。フレット溝２７の深さＷは３．２ｍｍ、溝幅Ｄ３は従来と同じで０４８〜０．５ｍｍ程度である。
【００１８】
前記自立用突起部２６は、突起部を備えない汎用のフレットの脚部を部分的にプレス加工によって塑性変形させることにより容易に形成することができる。この自立用突起部２６は、脚部２３Ｂの両端と中央の３箇所にのみ形成されているので、全長にわたって形成する場合に比べて内部応力の発生が小さく、したがって内部応力によってフレット２３の曲率半径が小さくなるのを防止することができる。
【００１９】
図６〜図８にフレットの他の実施の形態を示す。
この実施の形態においては、フレット２３の脚部２３Ｂを３つに分割し、隣り合う脚部２３Ｂ間の隙間に自立用突起部３１を設けている。自立用突起部３１は、脚部２３Ｂの自立用突起部３１を形成すべき部分に２つのスリット３２をプレス加工によって打ち抜くと同時にこれらのスリットによって分割された脚部分を押し潰して塑性変形させることにより形成される。
【００２０】
このように自立用突起部３１を隣り合う脚部２３Ｂ間の隙間にこれら脚部と離間させて設けた構造においては、プレス加工による自立用突起部３１の形成時に発生する内部応力をスリット３２によって分断することができるので、脚部２３Ｂには内部応力が殆ど生じず、上記した実施の形態における連続した脚部２３Ｂに自立用突起部２６を形成する場合に比べてフレット２３の曲率半径の小径化をより一層確実に防止することができる。
【００２１】
なお、図２に示す実施の形態においては、自立用突起部２６を３つ形成し、図６に示す実施の形態においては自立用突起部３１を２つ形成した例を示したが、その数に何等限定されるものではなく、適宜増減することができる。
また、上記実施の形態においては、アコースティックギター１０に適用したが、本発明はエレクトリックギターにも適用することができる。
【００２２】
【発明の効果】
以上説明したように本発明に係る弦楽器用フレットおよび弦楽器は、フレット本体の下面にフレット溝に打ち込まれる脚部を設け、この脚部に自立用突起部を突設し、この自立用突起部の長さを幅より大きく設定したので、フレット溝に対して手で簡単に安定して押し込むことができ、安定した状態で自立させることができる。したがって、槌で脚部を打ち込む工程が不要で、フレットの打ち込み作業が容易である。また、フレットの脚部に複数個の自立用突起部を設けたので、押し潰しによる自立用突起部の形成時における内部応力の発生が小さく、フレットの曲率半径の小径化を防止することができる。したがって、フレットをフレット溝に全体にわたって均一に打ち込むことができてフレットの表面高さを均一にすることができ、演奏時に弦のビリつきを防止することができる。
【図面の簡単な説明】
【図１】本発明に係るフレットを備えたアコースティックギターの斜視図
【図２】フレットの正面図である。
【図３】図２のＩＩＩ  −ＩＩＩ  線拡大断面図である。
【図４】図２のＩＶ−ＩＶ線拡大断面図である。
【図５】フレットの自立状態を示す断面図である。
【図６】本発明の他の実施の形態を示すフレットの正面図である。
【図７】図６のＶＩＩ  −ＶＩＩ  線拡大断面図である。
【図８】図７のＶＩＩＩ−ＶＩＩＩ線拡大断面図である。
【図９】従来のフレットの斜視図である。
【図１０】フレットを指板に打ち込んだ状態を示す断面図である。
【符号の説明】
２１…棹、２２…指板、２３…フレット、２３Ａ…フレット本体、２３Ｂ…脚部、２５…抜け防止部、２６…自立用突起部、２７…フレット溝、３１…自立用突起部、３２…スリット。
【図１】
0003601422.tif 000002
【図２】
0003601422.tif 000003
【図３】
0003601422.tif 000004
【図４】
0003601422.tif 000005
【図５】
0003601422.tif 000006
【図６】
0003601422.tif 000007
【図７】
0003601422.tif 000008
【図８】
0003601422.tif 000009
【図９】
0003601422.tif 000010
【図１０】
0003601422.tif 000011